(57)【要約】【課題】モバイル・デバイスへのコンテンツの動的配送を可能にする対話型ＩＤシステムを提供する。【解決手段】対話型ＩＤシステムは、近距離無線通信（ＮＦＣ）タグのタグＩＤおよびＮＦＣタグと通信するＮＦＣリーダーのリーダーＩＤを受信するためにネットワークに結合された対話型ＩＤサーバを含み、ＮＦＣタグおよびＮＦＣリーダーのうちの１つは、ユーザのモバイル・デバイス上にある。対話型ＩＤシステムはさらに、レガシＩＤサーバと通信するためにネットワークに結合され、レガシＩＤサーバは、タグＩＤおよびリーダーＩＤに基づいてエリアへのユーザのアクセスを許可する。対話型ＩＤサーバは、タグＩＤおよびリーダーＩＤに基づいてエリアに関連するコンテンツを判定し、レガシＩＤサーバから受信された指示に基づいてモバイル・デバイスに配送する。【選択図】図１
2014211887.tif 000002
【特許請求の範囲】
【請求項１】
近距離無線通信（ＮＦＣ）タグのタグ・アイデンティティ（ＩＤ）および前記ＮＦＣタグと通信するＮＦＣリーダーのリーダーＩＤを受信するためにネットワークに結合されたインターフェースであって、前記ＮＦＣタグおよび前記ＮＦＣリーダーのうちの１つは、ユーザのモバイル・デバイス上にあり、前記インターフェースはさらに、レガシＩＤサーバと通信するために前記ネットワークに結合され、前記レガシＩＤサーバはさらに、前記タグＩＤおよび前記リーダーＩＤを受信し、前記タグＩＤおよび前記リーダーＩＤに基づいてエリアへの前記ユーザのアクセスを許可する、インターフェースと、
前記タグＩＤおよび前記リーダーＩＤを受信するために前記インターフェースに結合され、前記タグＩＤおよび前記リーダーＩＤに基づいて前記エリアに関連するコンテンツを判定するように動作可能であり、および前記エリアに関連すると判定された前記コンテンツを、前記ユーザが前記エリアにアクセスすることを許可されていることを示す前記レガシＩＤサーバから受信された指示に基づいて前記モバイル・デバイスに配送することが可能なプロセッサと
を含む対話型ＩＤサーバ。
【請求項２】
前記インターフェースは、
前記モバイル・デバイスと通信するための、無線アクセス・ネットワークに結合された外部インターフェースを含み、
前記プロセッサは、前記外部インターフェースを介して前記無線アクセス・ネットワークを通して前記モバイル・デバイスに、前記エリアに関連すると判定された前記コンテンツを通信するように動作可能である、請求項１に記載の対話型ＩＤサーバ。
【請求項３】
前記ＮＦＣリーダーは、前記モバイル・デバイス上に配置され、前記外部インターフェースは、前記無線アクセス・ネットワークを介して前記モバイル・デバイスから前記タグＩＤおよび前記リーダーＩＤを受信するように動作可能である、請求項２に記載の対話型ＩＤサーバ。
【請求項４】
前記インターフェースは、
前記ＮＦＣリーダーから前記レガシＩＤサーバに送信された前記タグＩＤおよび前記リーダーＩＤをインターセプトし、前記ネットワークを介して前記タグＩＤおよび前記リーダーＩＤを前記レガシＩＤサーバに中継し、
前記ネットワークからスニッフィングされたデータ・パケットを介して前記ＮＦＣリーダーから前記レガシＩＤサーバに送信された前記タグＩＤおよび前記リーダーＩＤを受信し、
前記ネットワークを介して前記ＮＦＣリーダーから前記タグＩＤおよび前記リーダーＩＤを受信し、
前記レガシＩＤサーバから前記タグＩＤおよび前記リーダーＩＤを受信するように動作可能であり、前記レガシＩＤサーバは、前記ＮＦＣリーダーからの前記タグＩＤおよび前記リーダーＩＤの受信時に前記タグＩＤおよび前記リーダーＩＤを前記対話型ＩＤサーバに送信する、請求項１に記載の対話型ＩＤサーバ。
【請求項５】
前記プロセッサは、前記モバイル・デバイスから受信した前記タグＩＤおよび前記リーダーＩＤを、前記インターフェースを介して前記ネットワークを通して前記レガシＩＤサーバに提供するように構成される、請求項４に記載の対話型ＩＤサーバ。
【請求項６】
前記プロセッサは、前記タグＩＤおよび前記リーダーＩＤから前記コンテンツのためのパラメータを判定し、前記コンテンツに含めるための前記パラメータを満足するデータを識別するようにさらに動作可能であり、
前記インターフェースは、前記ネットワークを介して前記レガシＩＤサーバから前記データの少なくとも一部を取り出すように動作可能である、請求項１に記載の対話型ＩＤサーバ。
【請求項７】
前記コンテンツは、電話呼、ショート・メッセージ・システム（ＳＭＳ）メッセージ、またはデータ・プッシュ通知メッセージのうちの少なくとも１つを介して前記モバイル・デバイスに通信される、請求項１に記載の対話型ＩＤサーバ。
【請求項８】
前記コンテンツは、前記電話呼を介して前記モバイル・デバイスに通信される前記エリアに関連する録音されたメッセージを含み、前記プロセッサは、前記モバイル・デバイスと、前記電話呼の間に前記録音されたメッセージを再生するように構成されたレコーダーとの間の前記電話呼を確立するようにさらに動作可能である、請求項７に記載の対話型ＩＤサーバ。
【請求項９】
前記コンテンツは、前記プロセッサによってＳＭＳメッセージまたはデータ・プッシュ通知メッセージを介して前記モバイル・デバイスに通信される追加情報を含むウェブサイトのＵＲＬ（ｕｎｉｆｏｒｍ  ｒｅｓｏｕｒｃｅ  ｌｏｃａｔｏｒ）を含む、請求項８に記載の対話型ＩＤサーバ。
【請求項１０】
タグ・アイデンティティ（ＩＤ）およびリーダーＩＤを対話型ＩＤサーバおよびレガシＩＤサーバに提供することが可能な、第２の近距離無線通信（ＮＦＣ）デバイスと通信する第１の近距離無線通信（ＮＦＣ）デバイスであって、それぞれがローカル・エリア・ネットワークに結合され、前記第１のＮＦＣデバイスおよび前記第２のＮＦＣデバイスのうちの１つは、前記タグＩＤを有するＮＦＣタグであり、前記第１のＮＦＣデバイスおよび前記第２のＮＦＣデバイスのうちの他方は、前記リーダーＩＤを有するＮＦＣリーダーであり、前記レガシＩＤサーバは、前記タグＩＤおよび前記リーダーＩＤに基づいて前記モバイル・デバイスのユーザがエリアへアクセスすることを許可する、第１のＮＦＣデバイスと；
前記エリアへのアクセスを許可された前記モバイル・デバイスの前記ユーザに基づいて前記エリアに関連するコンテンツを受信する、無線アクセス・ネットワークに結合されたトランシーバであって、前記対話型ＩＤサーバは、前記タグＩＤおよび前記リーダーＩＤに基づいて前記エリアに関連する前記コンテンツを判定する、トランシーバと；
前記エリアに関連すると判定された前記コンテンツを処理し、前記モバイル・デバイスの前記ユーザに前記コンテンツを提供する、前記トランシーバに結合されたプロセッサと
を含む、対話型ＩＤサービスを提供するモバイル・デバイス。
【発明の詳細な説明】
【技術分野】
【０００１】
本発明は、全般的には通信システムに関し、具体的には近距離無線通信デバイスを有するキャンパス・ネットワークに関する。
【背景技術】
【０００２】
大学キャンパスの学生は、通常、学生アイデンティティ（ＩＤ）カードを使用して、寮、教室、学生センタ、および他のキャンパス施設へのアクセスを得る。これらのプラスティックＩＤカードは、既存のキャンパス・リーダーにスワイプされるか接触される時にドア・アクセス制御システムにアクセスを許可させ、ドアを開かせる、磁気ストライプまたは近距離無線通信（ＮＦＣ）チップを含む。磁気ストライプまたはＮＦＣカード上のデータを、学生の識別にリンクして、購入のための支払いをトリガすることもできる。たとえば、学生は、自分のカードを使用して、カフェテリアの料理について支払いまたはキャンパス書店で本を購入することができる。
【０００３】
しかし、既存の学生ＩＤシステムでは、バッジをリーダーに接触させることによって引き起こされる情報フローが、単一方向すなわち学生からシステムへである。実際に、ほとんどの学生が、既にモバイル・デバイスを持ち歩き、そのデバイスの多くが、ウェブをブラウズでき、テキスト・メッセージおよびプッシュ通知などの即時アラートおよび非同期アラートを受信できるスマートホンであるが、現在の学生ＩＤシステムでは、リーダーへの学生の識別カードの接触に関する情報は、学生に送り返されない。したがって、現在の学生ＩＤシステムは、システムから学生に戻ってリアルタイムでタイムリーな形で自動的に配送できる追加情報を提供しない。
【０００４】
異なる文脈では、ＰＯＳリーダーによって読み取られる２Ｄバーコードを表示することによって、コーヒー・ショップで購入を行うモバイル・デバイスが提案された。さらに、広告の配送のためにポスタおよび広告掲示板上のタグを読むことができるＮＦＣリーダーを含む次世代モバイル・デバイスが提案された。しかし、世界中のほとんどすべての大学および単科大学のキャンパスで通常見られる既存のレガシ・ドア・アクセスおよび制御システムへのこれらのＮＦＣデバイスの結合または一体化はなかった。
【発明の概要】
【課題を解決するための手段】
【０００５】
本発明の一実施形態では、対話型ＩＤサーバは、近距離無線通信（ＮＦＣ）タグのタグＩＤおよびＮＦＣタグと通信するＮＦＣリーダーのリーダーＩＤを受信するためにネットワークに結合されたインターフェースを含む。この実施形態では、ＮＦＣタグまたはＮＦＣリーダーは、キャンパスの許可された人のモバイル・デバイス上にあり、タグＩＤまたはリーダーＩＤのいずれかは、許可された人に関連付けられる。対話型ＩＤサーバは、タグＩＤおよびリーダーＩＤに基づいて許可された人のモバイル・デバイスに供給されるコンテンツを判定するように、およびコンテンツをモバイル・デバイスに通信するように動作可能なプロセッサをさらに含む。コンテンツは、たとえば、電話呼、録音されたメッセージ、ウェブサイトのＵＲＬ（ｕｎｉｆｏｒｍ  ｒｅｓｏｕｒｃｅ  ｌｏｃａｔｏｒ）、または電話呼、ショート・メッセージ・システム（ＳＭＳ）メッセージ、データ・プッシュ通知メッセージ、もしくは他の類似する通信機構を介してモバイル・デバイスに通信される他のメッセージとすることができる。
【０００６】
一実施形態では、インターフェースは、キャンパスのローカル・エリア・ネットワーク（ＬＡＮ）に結合されたネットワーク・インターフェースと、追加ネットワークに結合された外部インターフェースとを含む。たとえば、追加ネットワークは、モバイル・デバイスと通信する無線アクセス・ネットワークを含むことができ、プロセッサは、外部インターフェースを介してモバイル・デバイスにコンテンツを通信することができる。ネットワーク・インターフェースは、ＬＡＮを介してＮＦＣリーダーまたはＮＦＣタグのいずれかにも結合され、ＬＡＮを介してキャンパスのレガシＩＤサーバにさらに結合される。
【０００７】
例示的実施形態では、ネットワーク・インターフェースは、ＬＡＮに結合されたＮＦＣリーダーからタグＩＤおよびリーダーＩＤを受信するように動作可能である。もう１つの例示的実施形態では、外部インターフェースは、モバイル・デバイス上のＮＦＣリーダーからタグＩＤおよびリーダーＩＤを受信するように動作可能であり、ネットワーク・インターフェースは、レガシＩＤサーバにタグＩＤおよびリーダーＩＤを供給するために結合される。もう１つの実施形態では、プロセッサは、タグＩＤおよびリーダーＩＤからコンテンツのパラメータを判定し、パラメータを満足するために必要なデータを識別するようにさらに動作可能であり、ネットワーク・インターフェースは、コンテンツに関するデータの少なくとも一部をレガシＩＤサーバから取り出すように動作可能である。
【０００８】
本発明のもう１つの実施形態では、対話型アイデンティティ（ＩＤ）システムは、キャンパスのローカル・エリア・ネットワークに結合された第１近距離無線通信（ＮＦＣ）デバイスと、第１ＮＦＣデバイスと通信する第２近距離無線通信（ＮＦＣ）デバイスを有するキャンパスの許可された人のモバイル・デバイスと、ローカル・エリア・ネットワークおよびローカル・エリア・ネットワークの外部の追加ネットワークに結合された対話型ＩＤサーバとを含み、追加ネットワークは、モバイル・デバイスと通信する無線アクセス・ネットワークを含む。この実施形態では、第１および第２のＮＦＣデバイスのうちの一方は、ＮＦＣタグであり、他方は、ＮＦＣリーダーであり、対話型ＩＤサーバは、ＮＦＣリーダーがＮＦＣタグと通信している時にＮＦＣタグのタグＩＤおよびＮＦＣリーダーのリーダーＩＤを受信するように動作可能である。タグＩＤまたはリーダーＩＤのいずれかは、許可された人に関連付けられる。対話型ＩＤサーバは、さらに、タグＩＤおよびリーダーＩＤに基づいて許可された人のモバイル・デバイスに供給されるコンテンツを判定し、無線アクセス・ネットワークを介してモバイル・デバイスにコンテンツを通信するようにさらに動作可能である。
【０００９】
本発明のもう１つの実施形態では、キャンパスのモバイル・デバイスにコンテンツを動的に配送する方法が提供される。この方法は、キャンパスの対話型ＩＤサーバで近距離無線通信（ＮＦＣ）タグのタグ・アイデンティティ（ＩＤ）およびＮＦＣタグと通信するＮＦＣリーダーのリーダーＩＤを受信するステップであって、ＮＦＣタグおよびＮＦＣリーダーのうちの１つは、モバイル・デバイス上にある、ステップを含む。この方法は、タグＩＤおよびリーダーＩＤに基づいてモバイル・デバイスに供給されるコンテンツを判定するステップと、無線アクセス・ネットワークを介してモバイル・デバイスにコンテンツを通信するステップとをさらに含む。
【００１０】
本発明のより完全な理解を、添付図面と共に解釈される時に、次の詳細な説明の参照によって得ることができる。
【図面の簡単な説明】
【００１１】
【図１】本発明の実施形態による、例示的な対話型学生ＩＤシステムを示す図である。
【図２Ａ】本発明の実施形態による、対話型学生ＩＤシステム内で使用される例示的なモバイル・デバイスを示すブロック図である。
【図２Ｂ】本発明の実施形態による、対話型学生ＩＤシステム内で使用されるモバイル・デバイスを示す絵図である。
【図３】本発明の実施形態による、例示的な対話型学生ＩＤサーバを示すブロック図である。
【図４】本発明の実施形態による、単科大学キャンパスでのモバイル・デバイスへのコンテンツの動的配送の例示的プロセスを示す流れ図である。
【図５Ａ】本発明の実施形態による、レガシ学生ＩＤシステム内で対話型学生ＩＤサーバを一体化するさまざまな例示的機構を示す図である。
【図５Ｂ】本発明の実施形態による、レガシ学生ＩＤシステム内で対話型学生ＩＤサーバを一体化するさまざまな例示的機構を示す図である。
【図５Ｃ】本発明の実施形態による、レガシ学生ＩＤシステム内で対話型学生ＩＤサーバを一体化するさまざまな例示的機構を示す図である。
【図６】本発明の実施形態による、レガシ学生ＩＤシステム内で対話型学生ＩＤサーバを一体化するもう１つの例示的機構を示す図である。
【図７Ａ】本発明の実施形態による、もう１つの例示的な対話型学生ＩＤシステムを示す図である。
【図７Ｂ】本発明の実施形態による、対話型学生ＩＤシステムの例示的動作を示す図である。
【発明を実施するための形態】
【００１２】
本発明の実施形態によれば、対話型学生ＩＤ（ＩＳＩＤ）システムが提供され、これによって、近距離無線通信（ＮＦＣ）デバイスは、単科大学キャンパスの学生または他の許可された人のモバイル・デバイスまたはスマート・ホンに固定される。したがって、プラスティック・カードをリーダーに接触させるのではなく、学生は、自分たちのモバイル・デバイスまたはスマート・ホンを使用し、これによって、ドアを開くまたはキャンパスで購入を行うなどの一方向のみのレガシ動作をトリガするだけではなく、動的コンテンツをモバイル・デバイスに配送させ、これによって、学生が、両方向データ動作を介して対話し、情報を与えられた判断、選り好み、および選択を行うことを可能にする。
【００１３】
たとえば、モバイル・デバイス上のＮＦＣデバイスを使用して書店またはカフェテリアで購入を行う時には、学生に、モバイル・デバイスを介して異なる口座の現在の残高を即座に提示でき、これによって、学生が支払いを行うのに最も適切な口座を選択することを可能にする。もう１つの例として、モバイル・デバイス上のＮＦＣデバイスを教室のドア上のＮＦＣデバイスに接触させる時に、ドアを開けられるだけではなく、学生は、今日の教室コンテンツをダウンロードするためのリンクを有する自動的な即座の通知を自分のモバイル・デバイス上で受信することもできる。さらなる例では、モバイル・デバイス上のＮＦＣデバイスを寮のドア上のＮＦＣデバイスに接触させる時に、ドアを開けられるだけではなく、学生は、現在の寮の活動およびイベントに関連するＹｏｕＴｕｂｅリンクもしくは他の動的ウェブ・リンク、またはタイムリーな状況更新および他の情報のためのＦａｃｅｂｏｏｋ、Ｔｗｉｔｔｅｒ、および他のソーシャル・ネットワークへのインターフェースなど、動的ウェブ・コンテンツを受信することもできる。ＩＳＩＤシステムは、Ｆａｃｅｂｏｏｋ、Ｔｗｉｔｔｅｒなどで状況更新を生成し、その後、モバイル・デバイスを介して学生に状況更新を報告することもできる。
【００１４】
ＩＳＩＤシステムは、レガシ電話機およびレガシ・ドア・アクセス制御システムのフォークリフト交換を回避するために、既存のモバイル・デバイスおよびレガシ・ドア・アクセス制御システムを効率的に一体化し、これによってコストを最小にし、実用的解決策を提供する。したがって、キャンパスは、その既存アクセス制御システムを保持し、そのレガシ・インフラストラクチャに対するシステム・アドオンおよびアップグレードを介して改善された機能性を達成することができる。同様に、学生、スタッフ、および他の許可された人は、既存のモバイル・デバイスを保持し、改善された機能性を利用することができる。
【００１５】
図１に、本発明の実施形態による、例示的な対話型学生アイデンティティ（ＩＤ）システム１０を示す。対話型学生ＩＤシステム１０は、単科大学キャンパスのレガシ学生ＩＤシステム内で実施される対話型学生ＩＤ（ＩＳＩＤ）サーバ１００を含む。レガシ学生ＩＤシステムは、レガシ一方向サービスを提供するために学生アカウント・システム３０およびアクセス制御システム４０に結合されたレガシ学生ＩＤサーバ２０を含む。レガシ学生ＩＤシステムは、さらに、単科大学キャンパスのローカル・エリア・ネットワーク（ＬＡＮ）を介してレガシ学生ＩＤサーバ２０に結合された近距離無線通信（ＮＦＣ）デバイス６０を含む。
【００１６】
本明細書で使用される時に、用語「ＮＦＣ」は、短い（たとえば、２０センチメートル以下）距離にわたるデバイスの間でのデータの交換を可能にする短距離高周波無線通信技術を指す。ＮＦＣは、磁界誘導を介して通信し、ここで、２つのループ・アンテナが、お互いの近距離場内に配置され、効果的に空心変成器を形成し、通常は１２５ｋＨｚ周波数帯および／または１３．５６ＭＨｚ周波数帯内で動作する。
【００１７】
ＮＦＣタグは、許可された人の識別に使用される識別データを格納し、ＮＦＣリーダーは、ＮＦＣタグ上に格納された識別データを取り出すための質問器として動作する。ＮＦＣタグを、電池などの内部電源を含む能動タグおよび／または内部電源を含むのではなく、その代わりにＮＦＣリーダーによってリモートに電力を与えられる受動タグとすることができる。
【００１８】
上で説明したように、ＮＦＣリーダーとＮＦＣタグとの間の通信は、ラジオ周波数（ＲＦ）信号によって可能にされる。一般に、ＮＦＣタグ上に格納された識別データにアクセスするために、ＮＦＣリーダーは、タグからの変調されたＲＦ応答を喚起するように設計された変調されたＲＦ質問信号を生成する。タグからのＲＦ応答は、ＮＦＣタグ内に格納された符号化された識別データを含む。ＮＦＣリーダーは、ＮＦＣタグに関連する人を識別するために、符号化された識別データを復号する。受動タグについて、ＮＦＣリーダーは、データ転送中にタグをアクティブ化し、タグに電力を与えるために、変調されない連続波（ＣＷ）信号をも生成する。
【００１９】
単科大学キャンパスのＬＡＮ  ５０に結合されたＮＦＣデバイス６０を、たとえば、それに非常に接近して配置された時に別のＮＦＣデバイス７０と通信できる、ＮＦＣタグまたはＮＦＣリーダーとすることができる。たとえば、ＮＦＣデバイス７０が、ＮＦＣタグであり、ＮＦＣデバイス６０が、ＮＦＣリーダーである場合に、非常に接近した後に、ＮＦＣリーダー６０は、ＮＦＣタグ７０と通信して、ＮＦＣタグ７０に関連する許可された人を識別する識別データ（すなわち、タグＩＤ）を取り出す。その後、ＮＦＣリーダー６０は、タグＩＤを、ＮＦＣリーダー６０のリーダーＩＤと一緒に、ＬＡＮ  ５０を介してレガシ学生ＩＤサーバ２０に供給する。レガシ学生ＩＤサーバ２０は、学生アカウント・システム３０および／またはアクセス制御システム４０と通信して、学生が購入を行うことまたは学生がキャンパス施設へのアクセスを得ることを可能にするためにドアを開けることを可能にするなどのレガシ・サービスを提供する。ＮＦＣリーダー６０を組み込まれたＰＯＳ端末について、ＮＦＣリーダー６０を、リーダーＩＤの一部としてまたはリーダーＩＤに追加されるデータとしてのいずれかで、レガシ学生ＩＤサーバ２０に販売額（学生によって購入される商品／サービスのコスト）を供給するようにさらにプログラムすることができる。
【００２０】
本発明の実施形態によれば、両方向（対話型）データ動作を提供するために、ＮＦＣデバイス７０が、学生または単科大学キャンパスの他の許可された人（たとえば、教授、スタッフ・メンバなど）のモバイル・デバイス１３０上に含まれ、タグＩＤおよびリーダーＩＤが、さらにＩＳＩＤサーバ１００に供給され、ＩＳＩＤサーバ１００は、モバイル・デバイス１３０へのリアルタイム対話型コンテンツの自動配送をトリガする。限定ではなく例として、モバイル・デバイス１３０は、セル電話機、携帯情報端末（ＰＤＡ）、ラップトップ・コンピュータ、または他の類似するモバイル・デバイスなど、任意のタイプのモバイル・デバイスまたは無線デバイスを含むことができる。
【００２１】
モバイル・デバイス１３０にコンテンツを配送するために、ＩＳＩＤサーバ１００は、ＬＡＮ  ５０の外部とすることができる別のネットワークに結合される。たとえば、図１に示されているように、ＩＳＩＤサーバ１００は、無線アクセス・ネットワーク１２０に結合される。無線アクセス・ネットワーク１２０は、モバイル・デバイス１３０に無線接続性を提供できる任意のネットワークを含む。限定ではなく例として、無線アクセス・ネットワーク１２０は、ＧＳＭネットワーク、ＣＤＭＡネットワーク、ＵＭＴＳネットワーク、ＧＰＲＳネットワーク、ＷｉＦｉネットワーク、ＷｉＭａｘネットワーク、ＬＴＥネットワーク、または任意の他の類似するネットワークのうちの１つまたは複数を含むことができる。
【００２２】
図１では、ＩＳＩＤサーバ１００は、パケット交換ネットワークおよび／または回線交換ネットワークなどの通信ネットワーク１１０にさらに結合される。たとえば、通信ネットワーク１１０は、インターネット・プロトコル（ＩＰ）、マルチプロトコル・ラベル・スイッチング（ＭＰＬＳ）、非同期転送モード（ＡＴＭ）、イーサネット、またはＰＳＴＮのうちの１つまたは複数を含むことができるが、これらに限定はされない。モバイル・デバイス１３０に供給されるコンテンツを判定するためおよび／またはモバイル・デバイス１３０へのコンテンツの配送を支援するために、アプリケーション対応サービス・プロバイダにデータを供給するために、ＩＳＩＤサーバ１００を通信ネットワーク１１０に結合することができる。したがって、コンテンツを、通信ネットワーク１１０および無線アクセス・ネットワーク１２０を介してモバイル・デバイス１３０に配送することができる。しかし、ＩＳＩＤサーバ１００が、通信ネットワーク１１０を介して無線アクセス・ネットワーク１２０に結合されて図示されているが、他の実施形態では、ＩＳＩＤサーバ１００を、無線アクセス・ネットワーク１２０に直接に結合することもできる。たとえば、ＩＳＩＤサーバ１００は、無線アクセス・ネットワーク１２０内の無線アクセス・ポイントとして働くことができる。
【００２３】
ＮＦＣデバイス６０がＮＦＣリーダーであり、ＮＦＣデバイス７０がＮＦＣタグである実施形態では、ＮＦＣタグ７０をモバイル・デバイス１３０の背面に取り付けて、ＮＦＣリーダー６０との効率的な通信を可能にすることができる。モバイル・デバイス１３０がその使用の途中にキャリング・ケース、ポケット、財布、バックパック、または他の持ち運び装置から取り外され、挿入される可能性があるので、ＮＦＣタグ７０は、耐久性があり頑健でなければならない。しかし、磁気誘導は、革、プラスティック、ゴム、および他の材料を通って発生することができるので、通常、学生が、ＮＦＣタグ７０を使用するために自分のモバイル・デバイスをキャリング・ケースから取り外す必要はない。単一の小フォームファクタＮＦＣタグ７０が図示されているが、より大きいまたはより小さい表面積を有する、異なる周波数で動作する、およびおそらくはＮＦＣチップだけではなくバーコード、写真などをも含むＮＦＣタグが、本発明の他の実施形態で企図されている。
【００２４】
例示的動作では、非常に接近した後に、ＮＦＣリーダー６０は、ＮＦＣタグ７０と通信して、ＮＦＣタグ７０に関連する許可された人を識別する識別データ（すなわち、タグＩＤ）を取り出す。その後、ＮＦＣリーダー６０は、タグＩＤを、ＮＦＣリーダー６０のリーダーＩＤと一緒に、ＬＡＮ  ５０を介してレガシ学生ＩＤサーバ２０にだけではなく、ＩＳＩＤサーバ１００にも供給する。レガシ学生ＩＤサーバ２０は、上で説明したように伝統的な一方向レガシ・サービスを実行するが、ＩＳＩＤサーバ１００は、動的コンテンツをモバイル・デバイス１３０に配送させ、これによって、学生が両方向データ動作を介してＩＳＩＤシステム１０と対話することを可能にする。コンテンツの例は、録音された音声メッセージ、ライブ・オペレータとの対話、追加情報を含むウェブサイトのＵＲＬ（ｕｎｉｆｏｒｍ  ｒｅｓｏｕｒｃｅ  ｌｏｃａｔｏｒ）、または他のタイプのデータを含む。
【００２５】
ＮＦＣタグ７０が、モバイル・デバイス１３０に取り付けられ、ＮＦＣリーダー６０が、キャンパス・インフラストラクチャ内に配置されるので、モバイル・デバイス１３０は、通常、通信が発生したことを全く知らず、アイドル・モードまたはスリープ・モードである可能性がある。コンテンツのタイムリーで非同期の配送を保証するために、ＩＳＩＤシステム１０は、アイドルのモバイル・デバイスをアウェイクするさまざまな方法およびタイムリーな形で両方向対話性を開始するさまざま方法を提供する。１つの方法では、ＩＳＩＤサーバ１００は、モバイル・デバイス１３０に電話をかける。電話呼の電話番号は、タグＩＤにリンクされ、このタグＩＤは、学生に関連付けられ、電話呼の内容は、リーダーＩＤ（およびオプションでタグＩＤ）にリンクされる。この形で、学生は、録音を聞き、対話型音声応答（ＩＶＲ）システムと対話し、電話会議に参加するなどを行うことができる。
【００２６】
もう１つの方法では、ＩＳＩＤは、モバイル・デバイス１３０にショート・メッセージ・システム（ＳＭＳ）メッセージを配送する。やはり、ＳＭＳ用のモバイル・デバイス１３０の電話番号は、タグＩｄにリンクされ、このタグＩｄは、学生に関連付けられるが、ＳＭＳの内容は、リーダーＩＤ（およびオプションでタグＩＤ）にリンクされる。この形で、非同期テキスト・メッセージをモバイル・デバイスに配送することができる。このＳＭＳメッセージの内容を、ダイナミック・コンテンツへのＵＲＬまたはウェブ・リンクとすることができる。たとえば、ＳＭＳメッセージは、現在の寮イベントまたは学生センタでの出来事を記述するＹｏｕＴｕｂｅマルチメディア・コンテンツへのリンクを含むことができる。もう１つの例では、ＳＭＳメッセージは、学生の口座残高、食事ポイント、キャンパスポイント（ｃａｍｐｕｓ−ｂｕｃｋ）などを要約したポータルへの自動ログインを引き起こすＵＲＬまたはＴｉｎｙ−ＵＲＬを含むことができる。
【００２７】
一実施形態では、標準ＳＭＳサービスを、キャンパスベースまたはインターネットベースのＳＭＳゲートウェイおよび配送サービスと共に使用することができる。もう１つの実施形態では、モバイル・デバイス・ネットワーク・サービス・プロバイダとの特別な取り決めを行って、無料で、大量購入割引価格（ｂｕｌｋ−ｃｏｓｔ）で、またはネットワーク・サービス・プロバイダと大学との間の他の特別なビジネス協定を介して、ＩＳＩＤ関連ＳＭＳメッセージを配送することができる。ネットワーク・サービス・プロバイダは、リーダーにタッチする時とリンクを含むテキスト・メッセージがモバイル・デバイスに配送される時との間の待ち時間を最小にするために、アプリケーション対応ネットワークまたは他の手段を介して、より高い優先順位配送時間を伴うこれらの特殊なＳＭＳメッセージの配送を可能にすることもできる。
【００２８】
もう１つの方法では、ＩＳＩＤサーバ１００は、モバイル・デバイスに非同期イベントを配送するデータ通知サービスを活用することができる。たとえば、ＩＳＩＤは、Ａｐｐｌｅ  Ｐｕｓｈ  Ｎｏｔｉｆｉｃａｔｉｏｎ  Ｓｅｒｖｉｃｅｓ（ＡＰＮＳ）（商標）を使用して、モバイル・デバイスにプッシュ・メッセージを効率的に配送することができる。ＮＦＣ通信の後に、ＩＳＩＤサーバ１００は、モバイル・デバイス１３０へのそのような通知の配送をトリガすることができる。モバイル・デバイスがそのアイドル・モードまたはスリープ・モードにある場合であっても受信できるアラートの肯定応答の際に、学生のモバイル・デバイスは、ＡＰＮＳメッセージ内で指定された特定のＵＲＬを自動的にブラウズするはずである。
【００２９】
もう１つの実施形態では、ＮＦＣデバイス６０は、ＮＦＣタグであり、ＮＦＣデバイス７０は、ＮＦＣリーダーである。この実施形態では、ＮＦＣリーダー７０を、モバイル・デバイス１３０に外部に取り付けるか、またはモバイル・デバイス１３０に一体化するかのいずれかとすることができる。ＮＦＣリーダー７０が、モバイル・デバイス１３０に一体化される場合には、パーソナル・コンピュータ（ＰＣ）との同期化または他のタイプの機能性など、追加の機能性をユーザに提供するように、ＮＦＣリーダー７０をプログラムすることができる。
【００３０】
例示的動作では、非常に接近した後に、モバイル・デバイス１３０上のＮＦＣリーダー６０は、ＮＦＣタグ７０と通信して、ＮＦＣタグ７０に関連するキャンパス物品（すなわち、ドア、キャンパスＰＯＳ端末など）を識別する識別データ（すなわち、タグＩＤ）を取り出す。その後、ＮＦＣリーダー６０は、タグＩＤを、ＮＦＣリーダー６０のリーダーＩＤと一緒に、無線アクセス・ネットワーク１２０を介してＩＳＩＤサーバ１００に供給する。ＩＳＩＤサーバ１００は、ＬＡＮ  ５０を介してレガシ学生ＩＤサーバ２０にタグＩＤおよびリーダーＩＤを通信する。レガシ学生ＩＤサーバ２０は、上で説明したように伝統的な一方向レガシ・サービスを実行するが、ＩＳＩＤサーバ１００は、無線アクセス・ネットワーク１２０を介してモバイル・デバイス１３０へ動的コンテンツを配送させる。
【００３１】
図２Ａは、本発明の実施形態による、対話型学生ＩＤシステム内で使用される例示的なモバイル・デバイス１３０のブロック図である。モバイル・デバイス１３０は、プロセッサ２００、メモリ２１０、無線インターフェース２２０、トランシーバ２３０、入力インターフェース２４０、出力インターフェース２５０、およびＮＦＣデバイス７０を含む。プロセッサ２００およびメモリ２１０は、通常はモバイル・デバイス１３０によって実行される通信機能の命令を実行する。たとえば、プロセッサ２００は、特定のセルラ電話標準規格に従って通信機能を実行することができる。
【００３２】
ＮＦＣデバイス７０を、モバイル・デバイス１３０に外部に取り付けるか、またはモバイル・デバイス１３０に一体化するかのいずれかとすることができる。ＮＦＣデバイス７０が、モバイル・デバイス１３０に一体化されるＮＦＣリーダーである実施形態では、メモリ２１０は、インターネット上のオンライン・アプリケーション・ストアからなど、ネットワークからダウンロード可能とすることができるＩＳＩＤアプリケーション２１５を維持することができる。プロセッサ２００は、ＩＳＩＤアプリケーション２１５の命令を実行するためにメモリ２１０にさらに結合される。たとえば、プロセッサ２００は、レガシ・サービスおよび新しい対話型コンテンツ・サービスをモバイル・デバイス１３０のユーザに提供することを可能にするために、タグＩＤを取り出し、キャンパスのＩＳＩＤシステムにタグＩＤおよびリーダーＩＤを供給するためにＮＦＣリーダー７０にキャンパスのＮＦＣタグと通信させるためにＩＳＩＤアプリケーション２１５の命令を実行することができる。
【００３３】
無線インターフェース２２０は、ＩＳＩＤシステムへ／から音声および／またはデータを送信しかつ／または受信するために、トランシーバ２３０を介して無線アクセス・ネットワーク（図１に図示）への接続を提供する。たとえば、無線インターフェース２２０は、データをトランシーバ２３０から受信し、トランシーバ２３０に送信することを可能にする。トランシーバ２３０から受信されるデータ（たとえば、インバウンド・データ）について、無線インターフェース２２０は、さらなる処理および／または出力インターフェース２５０ヘのルーティングのためにそのデータをプロセッサ２００に供給する。出力インターフェース２５０は、受け取られたデータを表示する（見、かつ／または聞く）ことができるように、ディスプレイ、モニタ、スピーカ、その他などの出力デバイスへの接続性を提供する。無線インターフェース２２０は、プロセッサ２００からトランシーバ２３０にもデータを供給する。プロセッサ２００は、入力インターフェース２４０を介してキーボード、キーパッド、マイクロホン、その他などの入力デバイスからアウトバウンド・データを受け取り、あるいはデータ自体を生成することができる。入力インターフェース２４０を介して受け取られるデータについて、プロセッサ２００は、そのデータに対して通信機能を実行し、かつ／または無線インターフェース２２０を介してトランシーバ２３０にそのデータをルーティングすることができる。
【００３４】
本明細書で使用される時に、用語「プロセッサ」は、一般に、ＰＣなどの汎用コンピュータを駆動するデバイスと理解される。しかし、マイクロコントローラ、フィールド・プログラマブル・ゲート・アレイ（ＦＰＧＡ）、特定用途向け集積回路（ＡＳＩＣ）、またはその組合せなどの他の処理デバイスをも、本明細書で説明される利益および長所を達成するのに使用できることに留意されたい。さらに、本明細書で使用される時に、用語「メモリ」は、ハード・ドライブ、ランダム・アクセス・メモリ（ＲＡＭ）、読取り専用メモリ（ＲＯＭ）、フラッシュ・メモリ、または他のタイプのストレージ・デバイスもしくは記憶媒体を含むがこれに限定されないすべてのタイプのデータ・ストレージ・デバイスを含む。
【００３５】
図２Ｂは、本発明の実施形態による、対話型学生ＩＤシステム内で使用されるモバイル・デバイス１３０の絵図である。モバイル・デバイス１３０は、ディスプレイ２６０およびキーパッド入力デバイス２７０を含む。ディスプレイ２６０およびキーパッド２７０は、モバイル・デバイス１３０のユーザがＩＳＩＤシステムから受信したコンテンツ２６５をディスプレイ２６０上で見、コンテンツ２６５に基づいて１つまたは複数のアクションを実行することを可能にするグラフィカル・ユーザ・インターフェースを形成する。たとえば、ユーザは、モバイル・デバイス１３０に選択されたＵＲＬに関連するウェブサイトへナビゲートさせるために、コンテンツ２６５内に含まれる特定のＵＲＬを選択するためにキーパッド２７０上の矢印／トグル・キーまたは他のキーを操作することができる。
【００３６】
図３は、本発明の実施形態による、例示的な対話型学生ＩＤ（ＩＳＩＤ）サーバ１００のブロック図である。ＩＳＩＤサーバ１００は、プロセッサ３００、メモリ３１０、ネットワーク・インターフェース３２０、および外部インターフェース３３０を含む。ネットワーク・インターフェース３２０は、単科大学キャンパスのローカル・エリア・ネットワーク（ＬＡＮ）に結合され、外部インターフェース３３０は、ＬＡＮの外部の別のネットワークに結合される。たとえば、外部インターフェース３３０を無線アクセス・ネットワークに結合して、ＩＳＩＤサーバ１００が学生およびキャンパス職員のモバイル・デバイスにコンテンツを配送することを可能にすることができる。
【００３７】
メモリ３１０は、ＩＳＩＤアプリケーション３１５を維持し、プロセッサ３００は、ＩＳＩＤアプリケーション３１５の命令を実行するためにメモリ３１０にさらに結合される。たとえば、プロセッサ３００は、それぞれのＮＦＣタグおよびＮＦＣリーダーからタグＩＤおよびリーダーＩＤを受信するためにＩＳＩＤアプリケーション３１５を実行することができ、タグＩＤおよびリーダーＩＤの一方は、単科大学キャンパスの許可された人に関連し、タグＩＤおよびリーダーＩＤの他方は、単科大学キャンパスの物品または他のオブジェクトに関連する。ＮＦＣリーダーがＬＡＮに結合される実施形態では、タグＩＤおよびリーダーＩＤをネットワーク・インターフェース３２０を介して受け取ることができる。ＮＦＣリーダーがモバイル・デバイスに一体化される実施形態では、タグＩＤおよびリーダーＩＤを外部インターフェース３３０を介して受け取ることができる。
【００３８】
プロセッサ３００は、タグＩＤおよびリーダーＩＤに基づいて許可された人のモバイル・デバイスに配送される特定のコンテンツを判定し、モバイル・デバイスにそのコンテンツを配送するために、ＩＳＩＤアプリケーション３１５の命令をさらに実行することができる。例示的動作では、メモリ３１０は、モバイル・デバイス電話番号および関連するタグＩＤまたはリーダーＩＤのリスティングをさらに維持する。プロセッサ３００は、タグＩＤまたはリーダーＩＤからモバイル・デバイスの電話番号を識別するためにメモリ３１０にアクセスすることができる。
【００３９】
一実施形態では、プロセッサ３００は、外部インターフェース３３０を介してモバイル・デバイスに電話をかけるために、取り出された電話番号を使用する。たとえば、プロセッサ３００は、モバイル・デバイスのユーザが事前に録音されたメッセージを聞くことを可能にするために、モバイル・デバイスと会議／コラボレーション・コントローラ３４０との間の電話呼を開始することができる。会議／コラボレーション・コントローラ３４０を、ＩＳＩＤサーバ１００内（図示のように）またはＩＳＩＤサーバ１００の外部に配置することができる。ＩＳＩＤサーバ１００内の場合に、管理者または他の許可された職員は、会議／コラボレーション・コントローラ３４０上にメッセージを録音し、録音されたメッセージを特定のタグＩＤおよび／またはリーダーＩＤに関連付けるために、ＩＳＩＤサーバ１００に電話で接続することができる。たとえば、教授または他の管理者は、教室に入る際に学生が聞くためのメッセージを事前に録音することができ（すなわち、授業が取り消されたか異なる場所／時間に再スケジューリングされた場合）、学生は、教室に入る際にそのメッセージを聞くことができる。
【００４０】
会議／コラボレーション・コントローラ３４０は、モバイル・デバイスのユーザがＩＳＩＤサーバ１００に応答を提供することを可能にするために、対話型音声応答（ＩＶＲ）サービスをさらに提供することができる。たとえば、授業が取り消されたことを聞く際に、ユーザに、追加の質問に答えるためにキャンパスの教授または別の管理者に接続するために「１」を入力するように促すことができる。もう１つの例として、会議／コラボレーション・コントローラ３４０は、プロセッサ３００が、モバイル・デバイスと別の当事者との間の電話会議を開始し、またはモバイル・デバイスを進行中の電話会議に参加させることを可能にすることができる。たとえば、プロセッサ３００は、モバイル・デバイスおよび他の当事者にダイヤル・アウトするための適切なアプリケーション・プログラミング・インターフェース（ＡＰＩ）コマンドを会議／コラボレーション・コントローラ３４０（ＩＳＩＤサーバ１００の内部または外部）に発行することができる。会議／コラボレーション・コントローラ３４０を、ハードウェアおよび／またはソフトウェアで実施することができる。
【００４１】
もう１つの実施形態では、プロセッサ３００は、ショート・メッセージ・システム（ＳＭＳ）メッセージまたは他のタイプのテキスト・メッセージをモバイル・デバイスに配送するために、モバイル・デバイスの取り出された電話番号を使用する。ＳＭＳメッセージの内容を、動的コンテンツへのＵＲＬまたはウェブ・リンクとすることができる。もう１つの実施形態では、プロセッサ３００は、データ通知メッセージをモバイル・デバイスに配送するために、モバイル・デバイスの取り出された電話番号を使用する。たとえば、データ通知メッセージは、学生のモバイル・デバイスに、そのデータ通知メッセージ内で指定される特定のＵＲＬを自動的にブラウズさせることができる。
【００４２】
図４は、本発明の実施形態による、単科大学キャンパスでのモバイル・デバイスへのコンテンツの動的配送の例示的プロセス４００の流れ図である。このプロセスは、ブロック４１０で始まり、ここで、近距離無線通信（ＮＦＣ）タグのタグ・アイデンティティ（ＩＤ）およびそのＮＦＣタグと通信するＮＦＣリーダーのリーダーＩＤが、単科大学キャンパスの対話型学生ＩＤ（ＩＳＩＤ）サーバで受信される。ＮＦＣタグまたはＮＦＣリーダーのいずれかが、モバイル・デバイス上にある。ブロック４２０では、ＩＳＩＤサーバが、タグＩＤおよびリーダーＩＤに基づいてモバイル・デバイスに供給されるコンテンツを判定し、ブロック４３０では、ＩＳＩＤサーバが、無線アクセス・ネットワークを介してモバイル・デバイスにそのコンテンツを通信する。
【００４３】
ここで図５Ａ〜５Ｃに移ると、本発明の実施形態による、レガシ学生ＩＤシステム内で対話型学生ＩＤサーバを一体化するさまざまな例示的機構が示されている。図５Ａ〜５Ｃでは、ＮＦＣタグ７０が、学生のモバイル・デバイス１３０に取り付けられ、ＮＦＣリーダー６０が、単科大学キャンパスのＬＡＮ内に含まれ、ＬＡＮを介してＩＳＩＤサーバ１００に結合される。
【００４４】
図５Ａでは、ＩＳＩＤサーバ１００は、「中間者」要素として働くためにＬＡＮ（ＩＰネットワーク）に結合される。したがって、図５Ａでは、ステップ５００で、ＮＦＣタグ７０がＮＦＣリーダーにタグＩＤを供給する時に、ＮＦＣリーダー６０は、タグＩＤおよびリーダーＩＤをレガシ学生ＩＤサーバ２０に送信する。ステップ５０２では、ＩＳＩＤサーバ１００が、タグＩＤおよびリーダーＩＤをインターセプトし、ステップ５０４では、ＩＳＩＤサーバ１００が、タグ／リーダーＩＤデータをレガシ学生ＩＤサーバ２０に向かって中継する。このタイプのインターセプトおよび中継は、通常、ＩＳＩＤサーバ１００がレガシ・システムによって利用されるＩＰプロトコルを理解し、復号することを必要とし、さらに、タグ／リーダーＩＤデータが暗号化される場合には、ＩＳＩＤサーバ１００がすべての暗号化鍵および方法を与えられることを必要とする可能性がある。
【００４５】
タグＩＤおよびリーダーＩＤがＩＳＩＤサーバ１００によって受信された後に、ステップ５０６では、ＩＳＩＤサーバ１００が、タグＩＤおよびリーダーＩＤに基づいてモバイル・デバイス１３０に供給されるコンテンツのパラメータを判定する。たとえば、ＩＳＩＤサーバ１００は、モバイル・デバイス１３０に配送されるコンテンツが、モバイル・デバイス１３０に関連する学生の現在の学生口座残高を含むと判定することができる。さらに、タグＩＤおよびリーダーＩＤがレガシ学生ＩＤサーバ２０によって受信された後に、ステップ５０８では、レガシ学生ＩＤサーバ２０が、学生が購入を行うことを可能にするまたはキャンパス・ドアを開くなど、レガシ・サービスを提供するためにタグＩＤおよびリーダーＩＤを処理する。その後、ステップ５１０では、ＩＳＩＤサーバ１００が、オプションで、コンテンツに必要なすべてのデータを取り出すために、レガシ学生ＩＤサーバ２０と通信することができる。たとえば、ＩＳＩＤサーバ１００は、オプションで、学生口座残高を取り出すためにレガシ学生ＩＤサーバ２０と通信することができる。コンテンツを完成した後に、ステップ５１２では、ＩＳＩＤサーバ１００が、モバイル・デバイス１３０にコンテンツを供給する。
【００４６】
図５Ｂに、ＩＰデータ（タグＩＤおよびリーダーＩＤ）が、ＬＡＮデータ・スイッチ・ポート・ミラーリングまたは他の手段を介して分割され、その結果、ＩＰＡパケット内に含まれるタグＩＤおよびリーダーＩＤデータが、ＩＳＩＤサーバ１００とレガシ学生ＩＤサーバ２０との両方に同時に移動するようになる、もう１つの類似するＩＰベースの一体化方式を示す。したがって、図５Ｂでは、ステップ５２０で、ＮＦＣタグ７０がＮＦＣリーダー６０にタグＩＤを供給する時に、ステップ５２２で、ＮＦＣリーダー６０が、並列の形でＩＳＩＤサーバ１００とレガシ学生ＩＤサーバ２０との両方にＩＰデータ・パケットとしてタグＩＤおよびリーダーＩＤを送信する。ＩＳＩＤサーバ１００は、プロミスキャス・データ・スイッチ・ポートからスニッフィングされたＩＰデータ・パケットを介してタグＩＤおよびリーダーＩＤデータを受信する。
【００４７】
やはり、図５Ａと同様に、タグＩＤおよびリーダーＩＤがＩＳＩＤサーバ１００によって受信された後に、ステップ５２４では、ＩＳＩＤサーバ１００が、タグＩＤおよびリーダーＩＤに基づいてモバイル・デバイス１３０に供給されるコンテンツのパラメータを判定する。さらに、タグＩＤおよびリーダーＩＤがレガシ学生ＩＤサーバ２０によって受信された後に、ステップ５２６では、レガシ学生ＩＤサーバ２０が、学生が購入を行うことを可能にしまたはキャンパス・ドアを開くなど、レガシ・サービスを提供するためにタグＩＤおよびリーダーＩＤを処理する。その後、ステップ５２８では、ＩＳＩＤサーバ１００が、オプションで、コンテンツに必要なすべてのデータを取り出すために、レガシ学生ＩＤサーバ２０と通信することができ、ステップ５３０では、ＩＳＩＤサーバ１００が、モバイル・デバイス１３０にコンテンツを供給する。やはり、この機構は、ＩＳＩＤサーバ１００が、ＮＦＣリーダー６０とレガシ学生ＩＤサーバ２０との間のＩＰ通信プロトコルを理解でき、解釈できることを必要とする可能性がある。
【００４８】
図５Ｃに、ＩＳＩＤシステムのもう１つの一体化手法を示す。ここでは、既存のレガシ・システムへのアプリケーション・プログラミング・インターフェース（ＡＰＩ）が、タグＩＤおよびリーダーＩＤデータ読取イベントをＩＳＩＤサーバ１００に公開するのに利用される。したがって、図５Ｃでは、ステップ５４０で、ＮＦＣタグ７０がタグＩＤをＮＦＣリーダー６０に供給する時に、ステップ５４２で、ＮＦＣリーダー６０が、レガシ学生ＩＤサーバ２０に直接に、ＩＰデータ・パケットとしてタグＩＤおよびリーダーＩＤを送信する。レガシ学生ＩＤサーバ２０でのタグＩＤおよびリーダーＩＤの受信時に、ステップ５４４では、レガシ学生ＩＤサーバ２０が、学生が購入を行うことを可能にしまたはキャンパス・ドアを開くなど、レガシ・サービスを提供するためにタグＩＤおよびリーダーＩＤを処理する。
【００４９】
その後、ステップ５４６では、レガシ学生ＩＤサーバ２０が、タグＩＤおよびリーダーＩＤをＩＳＩＤサーバ１００に供給する。たとえば、ＩＳＩＤサーバ１００は、タグ・イベントについてレガシ学生ＩＤサーバ２０を周期的にポーリングすることができ、あるいは、リアルタイムでタグ・イベントが発生する時にそのタグ・イベントを非同期に受信することができる。やはり、タグＩＤおよびリーダーＩＤがＩＳＩＤサーバ１００によって受信された後に、ステップ５４８では、ＩＳＩＤサーバ１００が、タグＩＤおよびリーダーＩＤに基づいてモバイル・デバイス１３０に供給されるコンテンツのパラメータを判定する。その後、ステップ５５０では、ＩＳＩＤサーバ１００が、オプションで、コンテンツに必要なすべてのデータを取り出すために、レガシ学生ＩＤサーバ２０と通信することができ、ステップ５５２では、ＩＳＩＤサーバ１００が、モバイル・デバイス１３０にコンテンツを供給する。
【００５０】
図６に、本発明の実施形態による、レガシ学生ＩＤシステム内で対話型学生ＩＤサーバを一体化するもう１つの例示的機構を示す。図６は、これによってリーダーのシリアル・データの分割が利用されるもう１つの一体化方式を示すものである。この機構は、ほとんどのキャンパス設備で、ＩＰベースのＮＦＣリーダー６０が、実際には２つの部分すなわち、シリアル・クロック／データまたはＷｅｉｇａｎｄプロトコルを介してシリアル・ケーブルを介して通信するＮＦＣリーダー要素６００と、ＬＡＮ  ５０を介するレガシ学生ＩＤサーバ２０への送信のためにシリアル・データをＩＰプロトコルに変換する、すなわちこのシリアル・データを「ＩＰ化する」もう１つの要素（ＩＰアイザ（ＩＰ−Ｉｚｅｒ）６１０）から形成されるという事実を活用する。
【００５１】
この一体化機構では、ＮＦＣリーダー要素６００とＩＰアイザ６１０との間のシリアル・データは、分割され、第２のＩＰアイザ６２０（その出力として既知のＩＰプロトコルを有する）に並列に送信され、ＩＰアイザ６２０は、そのＩＰデータ（タグＩＤおよびリーダーＩＤ）をＩＳＩＤサーバ１００に転送する。ＩＳＩＤサーバ１００用の別々のＩＰアイザ６２０を利用することによって、ＩＳＩＤサーバ１００は、未知または暗号化されている可能性があるレガシ学生ＩＤシステムへ／からのプライベート・プロトコルを復号する必要が全くない。
【００５２】
図７Ａに、本発明の実施形態による、もう１つの例示的な対話型学生ＩＤシステム１０を示す。図７Ａでは、ＮＦＣリーダー７０が、モバイル・デバイス１３０内に組み込まれ、ＮＦＣタグ６０が、ドア・コントローラまたはＰＯＳ端末などのキャンパス物品７００上またはその付近に配置される。この実施形態では、モバイル・デバイス１３０内のＮＦＣリーダー７０は、ＮＦＣタグ６０のタグＩＤを取り出すためにキャンパス物品７００上のＮＦＣタグ６０と通信する。その後、モバイル・デバイス１３０は、タグＩＤおよびリーダーＩＤをＩＳＩＤサーバ１００に通信し、ＩＳＩＤサーバ１００は、このデータを、ＡＰＩを介してまたはリーダーＩＰプロトコルをエミュレートすることによってのいずれかでレガシ学生ＩＤサーバ２０に渡す。レガシ学生ＩＤサーバ２０は、ドアを開くことまたは購入などのレガシ・サービスを提供するために、タグＩＤインデックスおよびリーダーＩＤインデックスを用いてそのシステム３０および／または４０に相談する。ＰＯＳシステムについて、端末は、タグＩＤの一部またはタグＩＤに追加されるデータとしてのいずれかで、ＮＦＣリーダー７０に販売額（学生によって購入される商品／サービスのコスト）を供給することもできる。
【００５３】
ＩＳＩＤサーバ１００は、前と同様に、モバイル・デバイス１３０に供給されるコンテンツを判定するためにタグＩＤおよびリーダーＩＤ（およびＮＦＣリーダー７０によって供給される他の情報）を利用し、そのコンテンツを無線アクセス・ネットワーク１２０を介して、おそらくは通信ネットワーク１１０を介してモバイル・デバイス１３０に配送する。モバイル・デバイス１３０内にＮＦＣリーダー７０を含めることによって、そのような次世代モバイル・デバイス１３０は、内部ＮＦＣリーダー７０のトリガするアクションによって自動的にアウェイクされ、必ずしもタイムリーな非同期イベント配送のためにサービス・プロバイダ・ネットワークに頼る必要がない。言い替えると、ＮＦＣ通信が次世代モバイル・デバイス１３０を使用して行われる時には、モバイル・デバイス１３０は、ネットワークが情報をプッシュすることを必要とする現世代モバイル・デバイスとは異なって、ネットワークから情報をプルする。
【００５４】
図７Ｂに、本発明の実施形態による、対話型学生ＩＤシステムの例示的動作を示す。図７Ｂでは、ＮＦＣリーダー７０が、学生のモバイル・デバイス１３０に一体化され、ＮＦＣタグ６０が、ＬＡＮを介してレガシ学生ＩＤサーバ２０に結合されたキャンパス・ドア・コントローラ７００に結合される。
【００５５】
したがって、図７Ｂでは、ステップ７１０で、ドア・コントローラ７００上のＮＦＣタグ６０がモバイル・デバイス１３０上のＮＦＣリーダー７０にタグＩＤを供給する時に、ステップ７２０で、モバイル・デバイス１３０が、無線アクセス・ネットワークを介してＩＳＩＤサーバ１００にタグＩＤおよびリーダーＩＤを送信する。ステップ７３０では、ＩＳＩＤサーバ１００が、レガシ学生ＩＤサーバ２０にタグ／リーダーＩＤを送信する。タグＩＤおよびリーダーＩＤがＩＳＩＤサーバ１００によって受信された後に、ステップ７４０では、ＩＳＩＤサーバ１００が、タグＩＤおよびリーダーＩＤに基づいてモバイル・デバイス１３０に供給されるコンテンツのパラメータを判定する。
【００５６】
さらに、タグＩＤおよびリーダーＩＤがレガシ学生ＩＤサーバ２０によって受信された後に、ステップ７５０では、レガシ学生ＩＤサーバ２０が、ドア・コントローラ７００によって制御されるドアを開かなければならないかどうかを判定するために、タグＩＤおよびリーダーＩＤを処理する。そうである場合には、ステップ７６０で、レガシ学生ＩＤサーバ２０が、ドアを開くようにドア・コントローラ７００に指令する。
【００５７】
ステップ７７０では、ＩＳＩＤサーバ１００が、コンテンツに必要なすべてのデータを取り出すためにレガシ学生ＩＤサーバ２０と通信することができる。たとえば、ＩＳＩＤサーバ１００は、ドア・アクセスが許可されたかどうかを判定し、ドアが開かれたかどうかに基づいてコンテンツを定式化するために、レガシ学生ＩＤサーバ２０と通信することができる。コンテンツを完成した後に、ステップ７８０では、ＩＳＩＤサーバ１００が、そのコンテンツをモバイル・デバイス１３０に供給する。
【００５８】
本発明の実施形態を、学生ＩＤシステムに適用可能であるものとして説明したが、本発明が、レガシ・アクセス制御、購入、および／または他のＩＤ関連サービスのためにＩＤカードを使用する病院および会社など、多数の他のタイプのキャンパスにも適用可能であることを理解されたい。
【００５９】
当業者によって認識されるように、本願で説明される発明的概念を、広範囲の応用にまたがって修正し、変更することができる。したがって、特許主題の範囲は、議論された特定の例示的教示のいずれにも限定されてはならず、その代わりに次の特許請求の範囲によって定義される。
【図１】
2014211887.tif 000003
【図２Ａ】
2014211887.tif 000004
【図２Ｂ】
2014211887.tif 000005
【図３】
2014211887.tif 000006
【図４】
2014211887.tif 000007
【図５Ａ】
2014211887.tif 000008
【図５Ｂ】
2014211887.tif 000009
【図５Ｃ】
2014211887.tif 000010
【図６】
2014211887.tif 000011
【図７Ａ】
2014211887.tif 000012
【図７Ｂ】
2014211887.tif 000013